(57)【特許請求の範囲】
【請求項１】
平面三角形状で一定厚みを有する食品の両側面から底面を被覆し得る幅を有するフィルムをその幅方向の中央部から下方に向かって二つ折りしている本体フィルム部と、この本体フィルム部の両側上端縁から本体フィルム部内に二つ折り状態となるように折り込まれ、その下端折り目を二つ折りしている上記本体フィルム部の下端折り目に対して上方に一定間隔を存して平行に配設しているガセットフィルム部とからなり、これらの本体フィルム部とガセットフィルム部との両側上端縁同士を一体に連設させている上端折り目は、両側上端縁の一端側を基端としてその基端から中央部に向かう一定長さ部分に設けられ、この上端折り目の先端から本体フィルム部とガセットフィルム部との先端に到る上端折り目は、ガセットフィルム部の先端近傍部にまで本体フィルム部と共に斜め下方に切断することによって除去されていてその切断縁部を熱融着によりガセットフィルム部と本体フィルム部との両側上端縁同士が引き剥がし可能に一体化した両側傾斜熱融着部に形成してあり、さらに、これらの両側傾斜熱融着部の下傾端から本体フィルム部の二つ折り先端部を下端折り目にまで上記両側傾斜熱融着部に直角に連なるように熱融着して縦傾斜熱融着部に形成していると共に、上記両側傾斜熱融着部を設けている傾斜切断縁部の下傾端からガセットフィルム部の先端に向かってガセットフィルム部の下端折り目に平行な水平切断縁部を設けてこの水平切断縁部とガセットフィルム部の下端折り目間の二つ折りされた先端部を開封片に形成してあり、さらに、上記両側傾斜熱融着部の下傾端をガセットフィルム部の下端折り目の先端部に達するまで設けて上記開封片の基端をこの両側傾斜熱融着部の下傾端に連設させていることを特徴とする食品包装袋。
【請求項２】
上端折り目を介して連設している本体フィルム部の基部とこの基部内に折り込んでいるガセットフィルム部の基部とによって、食品が収容された後に折り畳んで封止する封緘部に形成していることを特徴とする請求項１に記載の食品包装袋。
【請求項３】
本体フィルム部内に折り込んでいるガセットフィルム部を展開した際の両側傾斜熱融着部によって囲まれた平面形状を、収容する食品の平面三角形状の上面と同大、同形に形成していることを特徴とする請求項１に記載の食品包装袋。
【発明の詳細な説明】
【技術分野】
【０００１】
本発明は、平面三角形状で一定厚みを有するチーズやケーキなどの食品の包装に適した食品包装袋に関する。
【背景技術】
【０００２】
従来から、食品、例えば、サンドイッチの包装袋としては、特許文献１や特許文献２に記載されているように、等脚台形状の表裏フィルムを重ね合わせてその上辺から小間隔を存した上端部における横幅がサンドイッチの厚みに等しい部分を全幅に亘って水平方向に熱融着すると共に、この水平熱融着部の両端から底辺の両端部に到る両側傾斜辺同士を熱融着することによって表裏フィルムの対向内面間に底辺側が開口した食品収納部を形成してあり、さらに、特許文献１においては、上記両側傾斜辺同士の熱融着部を上辺の両端部にまで設けて、上記水平熱融着部から突出している表裏フィルムの上端部を互いに分離不能にすると共に、表側の上端部における幅方向の中央部に上端から上記水平熱融着に向かって平行な２本の切り込みを設けてこれらの切り込み間のフィルム部分を開封片（引張り片）に形成している。
【０００３】
一方、特許文献２においては、表裏フィルムにおける上記両側傾斜片同士の熱融着部を上辺の両端にまで設けることなく、上記水平熱融着部から突出している表裏フィルムの上端部を互いに分離可能な開封片（摘まみ片）に形成している。
【０００４】
このように構成した包装袋は、その底辺側に設けている開口端から食品収納部内にサンドイッチを挿入し、サンドイッチの傾斜面に表フィルムの幅方向の中央部を沿わせて表裏フィルムを上下方向に拡開させながらサンドイッチの先端が上記水平熱融着部に達するまで収容したのち該底辺側の表裏フィルム部分によって封止する。また、包装袋を開封する際には、上記開封片を底辺側に向かって捲るように引っ張ることによってサンドイッチの傾斜面を被覆している表フィルムの幅方向の中央部を帯状に切除しながら開封片の幅に応じた開口部を設けている。
【先行技術文献】
【特許文献】
【０００５】
【特許文献１】実開平７−８２３８号公報
【特許文献２】特開２００５−８２３７号公報
【発明の概要】
【発明が解決しようとする課題】
【０００６】
しかしながら、前者の包装袋によれば、開封片がサンドイッチの傾斜面を被覆している表フィルムにおけるサンドイッチの先端から突出した端部の幅方向の中央部に設けられているため、開封してもサンドイッチの傾斜面における幅方向の中央部のみが外部に露出するだけで、サンドイッチを取り出すにあたっては、表フィルムをサンドイッチの厚み方向に拡げなければならず、面倒であると共にその拡開時にサンドイッチが潰れたり形崩れが生じるといった問題点がある。
【０００７】
さらに、開封片を捲り上げて開封を開始した際に、水平融着部に妨げられて千切れたり水平融着部を越えても徐々に開封幅が狭まって切断され、開封ができなくなるといった虞れがあり、そのため、開封すべき表フィルムの部分に細幅のカットテープを全長に亘って接着しておき、このカットテープの一端部の両側に沿って開封片を形成するための上記切り込みを設けておく必要がある。
【０００８】
一方、後者の包装袋によれば、開封片の幅をサンドイッチの厚みに相当する該サンドイッチの傾斜面の幅に略等しくなるように形成しているので、サンドイッチの傾斜面を被覆している表フィルム部分をこの開封片によって除去してサンドイッチの傾斜面を全面的に露出させることができるが、表裏フィルムからなるこの包装袋は、上述したように、開封片を設けている部分を上辺とする等脚台形状に形成されていて、表フィルムにより、サンドイッチにおける厚みが一定な傾斜面からサンドイッチの互いに平行な両側面の上半部に到る部分を被覆するように構成しているので、表裏フィルムの互いに熱融着している両側傾斜辺がサンドイッチの両側面の中央部をサンドイッチの全長に亘って被覆した状態となる。
【０００９】
そのため、上記両側傾斜の端部にその両端を連ねている上記開封片によって開封する際には、開封片に連なる表フィルム部分をサンドイッチの傾斜面から垂直方向に均一な引き剥がし力でもって剥離させて、サンドイッチの両側面を被覆している表フィルム部分をサンドイッチの両側面に沿って平行に引き剥がすことにより開封しなければならず、引き剥がし力が不均一となった場合には、サンドイッチの一方の側面を被覆している表フィルム部分がサンドイッチの他方の側面に向かって押圧する力が発生し、その押圧力によってサンドイッチが崩れてしまうといった事態が生じる。また、開封片を勢いよく剥離すると、サンドイッチが包装袋から飛び出してしまい、食することができなくなる事態が発生するといった問題点がある。
【００１０】
本発明はこのような問題点に鑑みてなされたもので、その目的とするところは、平面三角形状で一定厚みを有するチーズやケーキなどの食品の包装が簡単且つ正確に行えると共に、形崩れや飛び出しなどを生じさせることなく円滑に且つ綺麗に開封することができる食品包装袋を提供するにある。
【課題を解決するための手段】
【００１１】
上記目的を達成するために、本発明の食品包装袋は、請求項１に記載したように、平面三角形状で一定厚みを有する食品の両側面から底面を被覆し得る幅を有するフィルムをその幅方向の中央部から下方に向かって二つ折りしている本体フィルム部と、この本体フィルム部の両側上端縁から本体フィルム部内に折り込まれ、その下端折り目を本体フィルム部の上記下端折り目に対して上方に一定間隔を存して平行に配設しているガセットフィルム部とからなり、これらの本体フィルム部とガセットフィルム部との両側上端縁同士を一体に連設させている上端折り目は、両側上端縁の一端側を基端としてその基端から中央部に向かう一定長さ部分に設けられ、この上端折り目の先端から本体フィルム部とガセットフィルム部との先端に到る上端折り目は、ガセットフィルム部の先端近傍部にまで本体フィルム部と共に斜め下方に切断することによって除去されていてその切断縁部を熱融着によりガセットフィルム部と本体フィルム部との両側上端縁同士が引き剥がし可能に一体化した両側傾斜熱融着部に形成してあり、さらに、これらの両側傾斜熱融着部の下傾端から本体フィルム部の二つ折り先端部を下端折り目にまで上記両側傾斜熱融着部に直角に連なるように熱融着して縦傾斜熱融着部に形成していると共に、両側傾斜熱融着部の先端から突出しているガセットフィルム部の二つ折り先端部を開封片に形成していることを特徴とする。
【００１２】
このように構成した食品包装袋において請求項２に係る発明は、上端折り目を介して連設している本体フィルム部の基部とこの基部内に折り込んでいるガセットフィルム部の基部とによって、食品が収容された後に折り畳んで封止する封緘部に形成していることを特徴とする。
【００１３】
さらに、請求項３に係る発明は、本体フィルム部内に折り込んでいるガセットフィルム部を展開した際の両側傾斜熱融着部によって囲まれた平面形状を、収容する食品の平面三角形状の上面と同大、同形に形成していることを特徴とする。
【００１４】
また、請求項４に係る発明は、上記両側傾斜熱融着部を設けている傾斜切断縁部の下傾端からガセットフィルム部の先端に向かってガセットフィルム部の下端折り目に平行な水平切断縁部を設けてこの水平切断縁部とガセットフィルム部の下端折り目間の二つ折りされた先端部を開封片に形成していると共に、上記両側傾斜熱融着部の下傾端をガセットフィルム部の下端折り目の先端部に達するまで設けて上記開封片の基端をこの両側傾斜熱融着部の下傾端に連設させていることを特徴とする。
【発明の効果】
【００１５】
請求項１に係る発明によれば、食品包装袋は、平面三角形状で一定厚みを有する食品の両側面から底面を被覆し得る幅を有するフィルムをその幅方向の中央部から下方に向かって二つ折りしている本体フィルム部と、この本体フィルム部の両側上端縁から本体フィルム部内に折り込まれ、その下端折り目を本体フィルム部の上記下端折り目に対して上方に一定間隔を存して平行に配設しているガセットフィルム部とからなるので、ガセットフィルム部を展開しながらこの包装袋内に食品を収容すると、本体フィルム部によって食品の両側面から底面を被覆し、ガセットフィルム部によって食品の上面を被覆した収容形態にすることができる。
【００１６】
さらに、上記本体フィルム部とガセットフィルム部との両側上端縁同士を一体に連設させている上端折り目は、両側上端縁の一端側を基端としてその基端から中央部に向かう一定長さ部分に設けられ、この上端折り目の先端から本体フィルム部とガセットフィルム部との先端に到る上端折り目は、ガセットフィルム部の先端近傍部にまで本体フィルム部と共に斜め下方に切断することによって除去されていてその切断縁部を熱融着によりガセットフィルム部と本体フィルム部との両側上端縁同士が引き剥がし可能に一体化した両側傾斜熱融着部に形成してあり、且つ、これらの両側傾斜熱融着部の下傾端から本体フィルム部の二つ折り先端部を下端折り目にまで上記両側傾斜熱融着部に直角に連なるように熱融着して縦傾斜熱融着部に形成しているので、平面三角形状で一定厚みを有する食品を収容した際には、この食品の先端が上記縦傾斜熱融着部に当接すると共に上記両側傾斜熱融着部が食品の上面における両側傾斜縁辺に沿うように食品を簡単且つ正確に包装することができる。
【００１７】
その上、両側傾斜熱融着部の先端から突出しているガセットフィルム部の二つ折り先端部を開封片に形成しているので、食品の包装前においては、この包装袋は二つ折り状態に折り畳まれていて上記開封片が本体フィルム部の二つ折りされた両側先端部内に折り込まれているため、不測にこの開封片が捲られたりする虞れがなく、食品包装袋としての安定した形態を保持しておくことができ、また、この包装袋内に食品を包装した状態においては、開封片がその折り目を幅方向に中央にして、やや下方に屈折させた状態となるように展開し、そのため、開封片とこの開封片の下面に重なっている本体フィルム部の先端部との間に僅かな隙間が生じて、中央の折り目による開封片の剛直性と共に開封片を容易に捲り上げることができ、開封操作が簡単に行えると共に開封片の基端の折り目を含む少なくとも中央部が全幅に亘って両側傾斜熱融着部の先端部である下傾端に連続しているので、開封片からの両側傾斜熱融着部の先端部への開封操作力の伝達が円滑且つ確実に行われて素早く綺麗に開封することができる。
【００１８】
さらに、この開封片の基端が本体フィルム部とガセットフィルム部との上記両側傾斜熱融着部の先端に連なっているので、捲り上げたこの開封片を両側傾斜熱融着部側に向かって移動させることにより、開封片が千切れることなくこの開封片によって両側傾斜熱融着部を食品の上面両側縁部から上方に向かって円滑に引き剥がすことができ、食品を崩したり袋内から飛び出したりするような事態を生じさせることなく本体フィルム部内に食品全体を保持させた状態で食品の上面を被覆しているガセットフィルム部のみを剥離することができる。そして、食品の底面を被覆している本体フィルム部の下面を突き上げれば、食品を本体フィルム部内から簡単に取り出すことができる。
【００１９】
請求項２に係る発明によれば、上記上端折り目を介して連設している本体フィルム部の基部とこの基部内に折り込んでいるガセットフィルム部の基部とによって、食品が収容された後に折り畳んで封止する封緘部に形成しているので、袋内に収容した食品の後面をこの封緘部によって被覆、封止して食品を密封状態に包装することができる。
【００２０】
さらに、請求項３に係る発明によれば、本体フィルム部内に折り込んでいるガセットフィルム部を展開した際の両側傾斜熱融着部によって囲まれた平面形状を、収容する食品の平面三角形状の上面と同大、同形に形成しているので、両側傾斜熱融着部によって囲まれたガセットフィルム部によって食品の上面を全面的に綺麗に被覆した状態に包装することができると共に、上述したように開封片によって両側傾斜熱融着部を剥がしてガセットフィルム部を除去すると、本体フィルム部内に食品全体を保持させた状態で食品の上面のみを露呈させることができ、食品に形崩れなどを生じさせることなく綺麗に開封することができる。
【００２１】
また、請求項４に係る発明によれば、上記両側傾斜熱融着部を設けている傾斜切断縁部の下傾端からガセットフィルム部の先端に向かってガセットフィルム部の下端折り目に平行な水平切断縁部を設けてこの水平切断縁部とガセットフィルム部の下端折り目間の二つ折りされた先端部を開封片に形成していると共に、上記両側傾斜熱融着部の下傾端をガセットフィルム部の下端折り目の先端部に達するまで設けて上記開封片の基端をこの両側傾斜熱融着部の下傾端に連設させているので、食品を包装した状態においては、開封片が両側傾斜熱融着部の下傾端から水平方向に突出した一定幅を有する平面矩形状を呈すると共にこの開封片の基端における少なくとも中央部が上述したように両側傾斜熱融着部の下傾端に連続した包装形態となって、開封片による開封操作が円滑に且つ確実に行うことができる。
【図面の簡単な説明】
【００２２】
【図１】本発明食品包装袋の側面図。
【図２】その正面図。
【図３】両側傾斜熱融着部を僅かに離間させた状態の斜視図。
【図４】食品の収容する際に袋を拡げた状態を示す斜視図。
【図５】包装した状態を示す斜視図。
【図６】その一部を縦断除去した状態を示す斜視図。
【図７】開封開始状態を示す斜視図。
【図８】開封を開始している状態の斜視図。
【図９】開封した状態を示す斜視図。
【図１０】製造方法を説明するための包装袋形成用筒状フィルムの斜視図。
【図１１】ガセットフィルム部を形成した状態を示す正面図。
【図１２】その側面図。
【図１３】包装袋を形成した状態を示す側面図。
【発明を実施するための形態】
【００２３】
本発明の具体的な実施例を図面について説明すると、平面三角形で一定厚みを有するチーズやケーキなどの食品Ｂを包装する包装袋Ａであって、この包装袋Ａは、図１〜図５に示すように、食品Ｂの底面から両側面を全面的に被覆する本体フィルム部１と、食品Ｂの上面を被覆するガセットフィルム部２とを備え、本体フィルム部１はその幅方向の中央部を全長に亘ってＶ字状に二つ折りされ、その折り目３を下端にしてこの折り目３から互いにその対向面が重なるようにして両側フィルム部分1a、1aを上方に延出させている。
【００２４】
一方、ガセットフィルム部２はその両側フィルム部分2a、2aの上端縁を上記本体フィルム部１の両側フィルム部分1a、1aの上端縁に一体に連設させて本体フィルム部１内にＶ字状に二つ折り状態となるように折り込まれている。このガセットフィルム部２の二つ折り前の幅は本体フィルム部１の二つ折り前の幅よりも小幅に形成されていてＶ字状に二つ折りされたその下端折り目４を本体フィルム部１の両側フィルム部分1a、1aの下端折り目３に対して上方に一定間隔を存して平行に配設していると共に、この下端折り目４から互いにその対向面が重なるようにして上方に延出している上記両側フィルム部分2a、2aの上端縁とこの上端縁に連なる上記本体フィルム部１の両側フィルム部分1a、1aの上端縁との連設部を逆Ｖ字状に折り返した上端折り目５に形成し、この上端折り目５を介して上記のようにガセットフィルム部２を本体フィルム部１内に折り込んでいる。
【００２５】
なお、上記本体フィルム部１とガセットフィルム部２は、ベースフイルム層に熱融着可能なシーラント層を積層してなるラミネートフィルムからなり、本体フィルム部１においてはそのシーラント層を内面、即ち、二つ折りしてなる両側フィルム部分1a、1aの対向面側に設け、ガセットフィルム部２においては本体フィルム部１の両側フィルム部分1a、1aの上記内面に対向する両側フィルム部分2a、2aの外面側に設けている。
【００２６】
さらに、本体フィルム部１の上端縁とガセットフィルム部２の上端縁とを連設させている上記上端折り目５において、本体フィルム部１とガセットフィルム部２との長さ方向の一端側を基端とすると、この基端から長さ方向の中央部に向かう上端折り目５の基部のみを一定長さ残して、この上端折り目５の先端から本体フィルム部１内に折り込んでいるガセットフィルム部２の先端近傍部にまでガセットフィルム部２の両側フィルム部分2a、2aを本体フィルム部１の両側フィルム部分1a、1aの上半部と共に斜め下方に切断することによって除去されていると共にこの傾斜切断縁部６の下端（下傾端）からガセットフィルム部２の先端に到るまでガセットフィルム部２の下端折り目４に平行な水平切断縁部７を設けて本体フィルム部１とガセットフィルム部２との先端部における上半部を切除している。
【００２７】
そして、上記傾斜切断縁部６を熱融着することによって互いに重なり合っている本体フィルム部１の一側フィルム部分1aとガセットフィルム部２の一側フィルム部分2aとの傾斜上端縁と、本体フィルム部１の他側フィルム部分1aとガセットフィルム部２の他側フィルム部分2aとの傾斜上端縁とを引き剥がし可能に一体に接続した傾斜熱融着部８、８に形成している。
【００２８】
これらの両側傾斜熱融着部８、８の先端、即ち、下傾端はガセットフィルム部２の先端から基端側に向かって小間隔（２cm程度）を存した位置におけるガセットフィルム部２の下端折り目４の先端部に達するまで設けられてあり、この両側フィルム部分1a、1aの先端から突出している上記水平切断縁部７とガセットフィルム部２の下端折り目４間の二つ折りされたガセットフィルム部２の先端部を、その基端が両側傾斜熱融着部８、８の下傾端に連続している開封片９に形成していると共に、上記両側傾斜熱融着部８、８の下傾端から本体フィルム部１の二つ折り先端部を下端折り目３にまで両側傾斜熱融着部８、８に対して直角に熱融着することにより縦傾斜熱融着部10に形成している。
【００２９】
この縦傾斜熱融着部10の長さは収容すべき一定厚みを有する平面三角形状の食品Ｂの厚みに等しい長さに形成して食品Ｂを収容した時にこの食品Ｂの先端を縦傾斜熱融着部10に当接、受止させように形成していると共にガセットフィルム部２をその両側フィルム部分2a、2aが水平面となるように展開した状態においては、両側傾斜熱融着部８、８によって囲まれた平面形状を、収容する食品Ｂの三角形状の平面形状の上面と同大、同形となるように形成している一方、両側傾斜熱融着部８、８の上傾端にその先端を連ねている上記上端折り目５を有する本体フィルム部１の基部とこの基部内に折り込んでいるガセットフィルム部２の基部とによって、開口している基端を食品収納口12とし、この食品収容口12から袋内に収容した食品の後端面を封止する封緘部11に形成している。
【００３０】
このように構成した食品包装袋Ａによって一定厚みを有する平面三角形状の食品Ｂを包装するには、図４に示すように、ガセットフィルム部２の下端折り目４を支点としてガセットフィルム部２の両側フィルム部分2a、2aを、この両側フィルム部分1a、1aの外面に重ねている本体フィルム部１における両側フィルム部分1a、1aの上半部と共に左右方向に拡開させてガセットフィルム部２を水平状に展開させると共に本体フィルム部１の両側フィルム部分1a、1aを左右方向に拡げて封緘部11の基端の食品収容口12を開口させ、この食品収容口12から食品Ｂを挿入して袋内に収容する。
【００３１】
この際に、食品Ｂが包装袋Ａ内に挿入されるに従って、ガセットフィルム部２の両側フィルム部分2a、2aが水平状に展開しながらその下面で食品Ｂの三角形状の上面を被覆していくと共に両側フィルム部分2a、2aにおける両側傾斜熱融着部８、８の展開と共にこの両側傾斜熱融着部８、８の互いに連接した先端部に連なる開封片９も上記下端折り目４を支点として左右に展開する一方、本体フィルム部１の両側フィルム部分1a、1aが食品Ｂの先端に向かって先細状に傾斜している両側面とこの食品の底面に沿うように拡げられながらこれらの両側面と底面を被覆し、食品Ｂの先端が本体フィルム部１の先端部の縦傾斜熱融着部10に突き当たった時に食品Ｂが包装袋Ａ内に完全に収容された状態となる。
【００３２】
この状態においては、食品Ｂの上面がガセットフィルム部２における両側傾斜熱融着部８、８によって囲まれた三角形状のフィルム部分によって全面的に被覆され、上記上端折り目５を有する本体フィルム部１の基部とガセットフィルム部２の基部とによって形成された封緘部11が食品Ｂの後端面（基端面）から後方に突出してあり、この封緘部11を食品Ｂの後端面上に折り畳んで封止することによって図５、図６に示すように、包装袋Ａによって食品Ｂを密封状態に包装する。
【００３３】
この包装袋Ａ内から食品Ｂを取り出すには、図７に示すように、両側傾斜熱融着部８、８の先端部から前方に向かって突出しているガセットフィルム部２の先端二つ折り部によって形成している上記開封片９を摘んで捲り上げ、この開封片９を包装袋Ａの基端側である後方に向かって引っ張りながら移動させれば、その開封開始時においてはこの開封片９の基端に一体に連なった両側傾斜熱融着部８、８の先端部が引き剥がされて開封片９を有するガセットフィルム部２の先端部が本体フィルム部１の両側フィルム部分1a、1aの先端部から剥離し、引き続いて開封片９の後方への移動に従って開封片９側から徐々に幅方向に離間している両側傾斜熱融着部８、８が引き剥がされ、図８に示すように食品Ｂの両側面を被覆している本体フィルム部１の両側フィルム部分1a、1aの上端縁からガセットフィルム部２を剥離すれば、食品Ｂ全体が本体フィルム部１によって被覆され、且つ、食品Ｂの上面を外部に露呈させた形態となるように開封することができる。
【００３４】
この状態にして食品Ｂの底面を被覆している本体フィルム部１を上方に押し上げる等すれば、図９に示すように、本体フィルム部１から食品Ｂを取り出すことができる。
【００３５】
図10〜図13は上記包装袋Ａの製造方法を示すもので、まず、図10に示すように、食品Ｂを包装可能な周長を有し且つ内周面をシーラント層に形成している長尺の筒状フィルムａ（図10においてはその一部を示す）を縦長偏平筒状に変形させながらその上部を下半部内に折り込むことによって図11に示すように、ガセットフィルム部２を形成すると共にガセットフィルム部２以外のフィルム部分によって本体フィルム部１を形成する。
【００３６】
この際、これらの本体フィルム部１とガセットフィルム部２との形成と共にガセットフィルム部２を包被している本体フィルム部１の両側フィルム部分1a、1aを両側から挟圧して本体フィルム部１内に折り込んでいるガセットフィルム部２の両側フィルム部分2a、2aとこの両側フィルム部分1a、1aを被覆している本体フィルム部１の両側フィルム部分1a、1aとを互いに密接状態に重なり合わせ、本体フィルム部１の両側フィルム部分1a、1aの上端縁とこの上端縁に連設しているガセットフィルム部２の両側フィルム部分1a、1aの上端縁とに逆Ｖ字状に屈折した上端折り目５、５を形成すると同時に本体フィルム部１の両側フィルム部分1a、1aの下端縁とこの下端縁から下方に一定間隔を存して該下端縁に平行に設けられたガセットフィルム部２の両側フィルム部分2a、2aの下端縁とにＶ字状に屈折した下端折り目３、４を形成する。
【００３７】
次いで、上記本体フィルム部1a、1aとガセットフィルム部２とを有する偏平状に折り畳まれた筒状フィルムを図12に示すように、食品Ｂを包装可能な長さ毎に分断12して包装フィルム本体a'を形成すると同時に、その分断時に包装フィルム本体a'の一端側（基端側）の分断線12から他端側（先端側）に向かう上記上端折り目５、５を一定長さだけ残してこれらの上端折り目５、５の先端から本体フィルム部１内に折り込んでいるガセットフィルム部２の先端近傍部における上下幅方向の中央部にまで本体フィルム部１における両側フィルム部分1a、1aの上半部と共に斜め下方に切断６すると共にその傾斜切断端からガセットフィルム部２の先端における上下幅方向の中央部に到るまで、ガセットフィルム部２の下端折り目４に平行に水平に切断７することによって傾斜切断線６と水平切断線７から上方のガセットフィルム部分と本体フィルム部分とを除去する（図13参照）。
【００３８】
さらに、これらの傾斜切断線６と水平切断線７とを施すと同時に傾斜切断端面に沿って熱融着することにより、互いに重なり合っている本体フィルム部１の一側フィルム部分1aとガセットフィルム部２の一側フィルム部分2aとの傾斜上端縁と、本体フィルム部１の他側フィルム部分1aとガセットフィルム部２の他側フィルム部分2aとの傾斜上端縁とを引き剥がし可能に一体に接続した傾斜熱融着部８、８を形成すると共に、これらの傾斜熱融着部８、８の先端から本体フィルム部１の二つ折り先端部を下端折り目３にまで両側傾斜熱融着部８、８に対して直角に熱融着することにより縦傾斜熱融着部10に形成し、上記水平切断縁部７とガセットフィルム部２の下端折り目４間の二つ折りされた先端部を、その基端が両側傾斜熱融着部８、８の先端に連続させている開封片９に形成してなる包装袋Ａを得る。
【符号の説明】
【００３９】
１  本体フィルム部
２  ガセットフィルム部
３、４  下端折り目
５  上端折り目
６  傾斜切断縁部
７  水平切断縁部
８、８  両側傾斜熱融着部
９  開封片
９  封緘片
9a、9a  両側封止端部
10  縦傾斜熱融着部
11  封緘部
【図１】
0006437748.tif 000002
【図２】
0006437748.tif 000003
【図３】
0006437748.tif 000004
【図４】
0006437748.tif 000005
【図５】
0006437748.tif 000006
【図６】
0006437748.tif 000007
【図７】
0006437748.tif 000008
【図８】
0006437748.tif 000009
【図９】
0006437748.tif 000010
【図１０】
0006437748.tif 000011
【図１１】
0006437748.tif 000012
【図１２】
0006437748.tif 000013
【図１３】
0006437748.tif 000014